(57)【要約】【課題】受信品質情報の情報量、送信頻度に柔軟に対応した、効率的な受信品質情報の送信制御を実現する。【解決手段】基地局装置は、第１の受信品質情報を周期的に送信することを指示する第１の情報を、無線資源制御信号に含めて移動局装置へ送信する手段と、物理上りリンク共用チャネル（ＰＵＳＣＨ）で第２の受信品質情報を送信することを指示する第２の情報を、前記物理下りリンク制御チャネル（ＰＤＣＣＨ）を使用して移動局装置へ送信する手段と、前記物理上りリンク共用チャネル（ＰＵＳＣＨ）で送信される前記第２の受信品質情報のリソース量の決定に用いられる第３の情報を、前記無線資源制御信号に含めて前記移動局装置へ送信する手段と、を備える。【選択図】図９
2014112965.tif 000002
【特許請求の範囲】
【請求項１】
上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置であって、
第１の受信品質情報を周期的に送信することを指示する第１の情報を、無線資源制御信号に含めて前記移動局装置へ送信する手段と、
前記物理上りリンク共用チャネル（ＰＵＳＣＨ）で第２の受信品質情報を送信することを指示する第２の情報を、前記物理下りリンク制御チャネル（ＰＤＣＣＨ）を使用して前記移動局装置へ送信する手段と、
前記物理上りリンク共用チャネル（ＰＵＳＣＨ）で送信される前記第２の受信品質情報のリソース量の決定に用いられる第３の情報を、前記無線資源制御信号に含めて前記移動局装置へ送信する手段と、
前記第１の情報に基づいた前記第１の受信品質情報の送信と、前記第２の情報に基づいた前記第２の受信品質情報の送信と、が同時に生じ得る場合に、前記第２の受信品質情報のみを前記移動局装置から受信する手段と、を備え、
前記第２の受信品質情報のリソース量は、前記第３の情報に基づいて決定されることを特徴とする基地局装置。
【請求項２】
前記第２の受信品質情報のリソース量は、前記物理下りリンク制御チャネル（ＰＤＣＣＨ）を使用して割り当てた前記物理上りリンク共用チャネル（ＰＵＳＣＨ）の大きさと、前記第３の情報と、に基づいて決定されることを特徴とする請求項１に記載の基地局装置。
【請求項３】
前記第２の受信品質情報は、前記物理上りリンク共用チャネル（ＰＵＳＣＨ）で前記上りリンクデータと共に送信されることを特徴とする請求項１または請求項２に記載の基地局装置。
【請求項４】
上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置であって、
第１の受信品質情報を周期的に送信することを指示する第１の情報が含まれる無線資源制御信号を、前記基地局装置から受信する手段と、
前記物理上りリンク共用チャネル（ＰＵＳＣＨ）で第２の受信品質情報を送信することを指示する第２の情報を、前記物理下りリンク制御チャネル（ＰＤＣＣＨ）を使用して前記基地局装置から受信する手段と、
前記物理上りリンク共用チャネル（ＰＵＳＣＨ）で送信される前記第２の受信品質情報のリソース量の決定に用いられる第３の情報が含まれる前記無線資源制御信号を、前記基地局装置から受信する手段と、
前記第１の情報に基づいた前記第１の受信品質情報の送信と、前記第２の情報に基づいた前記第２の受信品質情報の送信と、が同時に生じ得る場合に、前記第２の受信品質情報のみを前記基地局装置へ送信する手段と、を備え、
前記第２の受信品質情報のリソース量は、前記第３の情報に基づいて決定されることを特徴とする移動局装置。
【請求項５】
前記第２の受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第３の情報と、に基づいて決定されることを特徴とする請求項４に記載の移動局装置。
【請求項６】
前記第２の受信品質情報は、前記物理上りリンク共用チャネル（ＰＵＳＣＨ）で前記上りリンクデータと共に送信されることを特徴とする請求項４または請求項５に記載の移動局装置。
【請求項７】
上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置の通信方法であって、
第１の受信品質情報を周期的に送信することを指示する第１の情報を、無線資源制御信号に含めて前記移動局装置へ送信し、
前記物理上りリンク共用チャネル（ＰＵＳＣＨ）で第２の受信品質情報を送信することを指示する第２の情報を、前記物理下りリンク制御チャネル（ＰＤＣＣＨ）を使用して前記移動局装置へ送信し、
前記物理上りリンク共用チャネル（ＰＵＳＣＨ）で送信される前記第２の受信品質情報のリソース量の決定に用いられる第３の情報を、前記無線資源制御信号に含めて前記移動局装置へ送信し、
前記第１の情報に基づいた前記第１の受信品質情報の送信と、前記第２の情報に基づいた前記第２の受信品質情報の送信と、が同時に生じ得る場合に、前記第２の受信品質情報のみを前記移動局装置から受信し、
前記第２の受信品質情報のリソース量は、前記第３の情報に基づいて決定されることを特徴とする通信方法。
【請求項８】
前記第２の受信品質情報のリソース量は、前記物理下りリンク制御チャネル（ＰＤＣＣＨ）を使用して割り当てた前記物理上りリンク共用チャネル（ＰＵＳＣＨ）の大きさと、前記第３の情報と、に基づいて決定されることを特徴とする請求項７に記載の通信方法。
【請求項９】
前記第２の受信品質情報は、前記物理上りリンク共用チャネル（ＰＵＳＣＨ）で前記上りリンクデータと共に送信されることを特徴とする請求項７または請求項８に記載の通信方法。
【請求項１０】
上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置の通信方法であって、
第１の受信品質情報を周期的に送信することを指示する第１の情報が含まれる無線資源制御信号を、前記基地局装置から受信し、
前記物理上りリンク共用チャネル（ＰＵＳＣＨ）で第２の受信品質情報を送信することを指示する第２の情報を、前記物理下りリンク制御チャネル（ＰＤＣＣＨ）を使用して前記基地局装置から受信し、
前記物理上りリンク共用チャネル（ＰＵＳＣＨ）で送信される前記第２の受信品質情報のリソース量の決定に用いられる第３の情報が含まれる前記無線資源制御信号を、前記基地局装置から受信し、
前記第１の情報に基づいた前記第１の受信品質情報の送信と、前記第２の情報に基づいた前記第２の受信品質情報の送信と、が同時に生じ得る場合に、前記第２の受信品質情報のみを前記基地局装置へ送信し、
前記第２の受信品質情報のリソース量は、前記第３の情報に基づいて決定されることを特徴とする通信方法。
【請求項１１】
前記第２の受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第３の情報と、に基づいて決定されることを特徴とする請求項１０に記載の通信方法。
【請求項１２】
前記第２の受信品質情報は、前記物理上りリンク共用チャネル（ＰＵＳＣＨ）で前記上りリンクデータと共に送信されることを特徴とする請求項１０または請求項１１に記載の通信方法。
【発明の詳細な説明】
【技術分野】
【０００１】
本発明は、移動局装置が、基地局装置から受信した信号の受信品質を測定し、受信品質
情報を基地局装置へ送信する移動通信システム、この移動通信システムに適用される移動
局装置および通信方法に関する。
【背景技術】
【０００２】
近時、移動通信システムにおいては、データ通信の需要が高まっており、それに伴う通
信データの増加に対応した、高い周波数利用効率が得られる様々な技術が提案されている
。周波数利用効率を高める技術の１つにＯＦＤＭＡ（Ｏｒｔｈｏｇｏｎａｌ  Ｆｒｅｑｕ
ｅｎｃｙ  Ｄｉｖｉｓｉｏｎ  Ｍｕｌｔｉｐｌｅ  Ａｃｃｅｓｓ：直交周波数分割多元接
続）がある。このＯＦＤＭＡは、セルで構成される通信エリアにおいて、すべてのセルで
同じ周波数を用いて通信する際の変調方式の技術に関するものであり、高速なデータ通信
を実現することができる。
【０００３】
ＯＦＤＭＡシステムにおける送信パケットのスケジューリングでは、広帯域のサブキャ
リアにおける下り回線状態の受信品質を示す情報であるＣＱＩ（Ｃｈａｎｎｅｌ  Ｑｕａ
ｌｉｔｙ  Ｉｎｄｉｃａｔｏｒ）を移動局装置が基地局装置に送信し、基地局装置は各移
動局装置から送信された広帯域のサブキャリアのＣＱＩに基づいて、パケットのスケジュ
ーリングを行なうという方法が知られている。
【０００４】
また、複数のサブキャリアを用いるＯＦＤＭ（Ｏｒｔｈｏｇｏｎａｌ  Ｆｒｅｑｕｅｎ
ｃｙ  Ｄｉｖｉｓｉｏｎ  Ｍｕｌｔｉｐｌｅｘｉｎｇ：直交波周波数分割多重）システム
における送信パケットのスケジューリングにおいて、移動局装置で下りの各チャネル状態
（周波数特性、すなわち、周波数に依存する伝送損失等の特性）を評価し、各チャネル状
態を量子化した情報を基地局装置に送信し、基地局装置は送信された情報に基づいて各移
動局装置に割り振るサブキャリアを決定するという技術も知られている（特許文献１）。
【０００５】
図１８は、従来の基地局装置と移動局装置との通信方法について説明するための図であ
る。基地局装置から受信品質測定に用いる下り回線の下りリンク情報を受信した移動局装
置は、その下りリンク情報に基づいて各チャネルの受信品質を測定し、伝搬路のチャネル
プロファイルを作成する。
【０００６】
移動局装置が作成したチャネルプロファイルは、上り回線を用いて、受信品質情報とし
て移動局装置から基地局装置に送信される。基地局装置は、その受信品質情報に基づいて
、基地局装置から移動局装置に対して送信する信号に対して適応変調符号化や周波数選択
スケジューリングの処理を行なう。
【０００７】
この移動局装置による基地局装置への受信品質情報の送信に関して、国際的な標準化プ
ロジェクトである３ＧＰＰ（３ｒｄ  Ｇｅｎｅｒａｔｉｏｎ  Ｐａｒｔｎｅｒｓｈｉｐ  
Ｐｒｏｊｅｃｔ）で検討されている第３世代無線アクセスの進化（Ｅｖｏｌｖｅｄ  Ｕｎ
ｉｖｅｒｓａｌ  Ｔｅｒｒｅｓｔｒｉａｌ  Ｒａｄｉｏ  Ａｃｃｅｓｓ）では、専用の上
りリンク制御チャネル（以下、ＰＵＣＣＨ（Ｐｈｙｓｉｃａｌ  Ｕｐｌｉｎｋ  Ｃｏｎｔ
ｒｏｌ  Ｃｈａｎｎｅｌ））、もしくは、上りリンクデータチャネル（以下、ＰＵＳＣＨ
（Ｐｈｙｓｉｃａｌ  Ｕｐｌｉｎｋ  Ｓｈａｒｅｄ  Ｃｈａｎｎｅｌ））を用いて、移動
局装置から基地局装置に送信することが検討されている。
【０００８】
例えば、非特許文献１では、移動局装置から基地局装置へ受信品質情報を送信する際に
、要求される受信品質情報が異なるサービスの種類によって、ＰＵＣＣＨ、もしくは、Ｐ
ＵＳＣＨを用いて受信品質情報を送信しようとする提案がなされている。
【先行技術文献】
【特許文献】
【０００９】
【特許文献１】特開２００５−１３０４９１号公報
【非特許文献】
【００１０】
【非特許文献１】“ＣＱＩ  ｈａｎｄｌｉｎｇ  ｄｕｒｉｎｇ  ＤＲＸ”、３ＧＰＰ、ＴＳＧ  ＲＡＮ  ＷＧ２  Ｍｅｅｔｉｎｇ  ＃５８、Ｒ２−０７１９０１、２００７年５月
【発明の概要】
【発明が解決しようとする課題】
【００１１】
しかしながら、従来の技術では、移動局装置から基地局装置に対して受信品質情報をＰ
ＵＣＣＨ、もしくは、ＰＵＳＣＨで送信する際に、基地局装置がどのような制御情報を用
いて移動局装置の制御を行ない、さらに、基地局装置と移動局装置との間でどのようなや
り取りが行なわれて受信品質情報の送信が行なわれるかの具体的な記載はない。
【００１２】
受信品質情報の送信では、例えば、基地局装置が移動局装置に対して適切な周波数選択
スケジューリングを行なうために、送信周波数帯をある領域ごとに分割したチャネル全て
についての受信品質情報というような大きな情報量を送信したい場合がある。
【００１３】
その一方で、例えば、基地局装置が移動局装置に対して、適応変調符号化を行なうため
に、広帯域の平均値のような小さな情報量の受信品質情報を送信させたい場合もあり、移
動局装置から基地局装置に送信する受信品質情報の情報量のサイズは大きな幅を持ってい
る。
【００１４】
また、受信品質情報のサイズ、送信頻度を基地局装置が制御したいという要求がある。
基地局装置は、自らが制御するセル内の上りリンクリソースを考慮して、送信される受信
品質情報のサイズ、送信頻度を制御すべきであり、各移動局装置の判断でサイズの大きな
受信品質情報を高頻度に送信しては、セル内の上りリンクリソースが不足してしまい、ま
た、サイズの小さな受信品質情報を低頻度に送信しては、上りリンクリソースに無駄が生
じてしまう。
【００１５】
すなわち、移動局装置から基地局装置に対する受信品質情報の送信において、基地局装
置からどのような制御情報を用いて移動局装置の制御を行ない、基地局装置と移動局装置
の間でどのようなやり取りを行なって受信品質情報を送信するかが重要な課題であり、送
信される受信品質情報の情報量、送信頻度を考慮した、効率的な送信制御方法が必要とさ
れる。
【００１６】
本発明は、このような事情に鑑みてなされたものであり、受信品質情報の情報量、送信
頻度に柔軟に対応した、効率的な受信品質情報の送信制御を実現することができる移動通
信システム、移動局装置および通信方法を提供することを目的とする。
【課題を解決するための手段】
【００１７】
（１）上記の目的を達成するために、本発明は、次のような手段を講じた。すなわち、
本発明の基地局装置は、上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置であって、第１の受信品質情報を周期的に送信することを指示する第１の情報を、無線資源制御信号に含めて前記移動局装置へ送信する手段と、前記物理上りリンク共用チャネル（ＰＵＳＣＨ）で第２の受信品質情報を送信することを指示する第２の情報を、前記物理下りリンク制御チャネル（ＰＤＣＣＨ）を使用して前記移動局装置へ送信する手段と、前記物理上りリンク共用チャネル（ＰＵＳＣＨ）で送信される前記第２の受信品質情報のリソース量の決定に用いられる第３の情報を、前記無線資源制御信号に含めて前記移動局装置へ送信する手段と、前記第１の情報に基づいた前記第１の受信品質情報の送信と、前記第２の情報に基づいた前記第２の受信品質情報の送信と、が同時に生じ得る場合に、前記第２の受信品質情報のみを前記移動局装置から受信する手段と、を備え、前記第２の受信品質情報のリソース量は、前記第３の情報に基づいて決定されることを特徴とする。
【００１８】
（２）また、本発明の基地局装置において、前記第２の受信品質情報のリソース量は、前記物理下りリンク制御チャネル（ＰＤＣＣＨ）を使用して割り当てた前記物理上りリンク共用チャネル（ＰＵＳＣＨ）の大きさと、前記第３の情報と、に基づいて決定されることを特徴とする。
【００１９】
（３）また、本発明の基地局装置において、前記第２の受信品質情報は、前記物理上りリンク共用チャネル（ＰＵＳＣＨ）で前記上りリンクデータと共に送信されることを特徴とする。
【００２０】
（４）また、本発明の移動局装置は、上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置であって、第１の受信品質情報を周期的に送信することを指示する第１の情報が含まれる無線資源制御信号を、前記基地局装置から受信する手段と、前記物理上りリンク共用チャネル（ＰＵＳＣＨ）で第２の受信品質情報を送信することを指示する第２の情報を、前記物理下りリンク制御チャネル（ＰＤＣＣＨ）を使用して前記基地局装置から受信する手段と、前記物理上りリンク共用チャネル（ＰＵＳＣＨ）で送信される前記第２の受信品質情報のリソース量の決定に用いられる第３の情報が含まれる前記無線資源制御信号を、前記基地局装置から受信する手段と、前記第１の情報に基づいた前記第１の受信品質情報の送信と、前記第２の情報に基づいた前記第２の受信品質情報の送信と、が同時に生じ得る場合に、前記第２の受信品質情報のみを前記基地局装置へ送信する手段と、を備え、前記第２の受信品質情報のリソース量は、前記第３の情報に基づいて決定されることを特徴とする。
【００２１】
（５）また、本発明の移動局装置において、前記第２の受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第３の情報と、に基づいて決定されることを特徴とする。
【００２２】
（６）また、本発明の移動局装置において、前記第２の受信品質情報は、前記物理上りリンク共用チャネル（ＰＵＳＣＨ）で前記上りリンクデータと共に送信されることを特徴とする。
【００２３】
（７）また、本発明の通信方法は、上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置の通信方法であって、第１の受信品質情報を周期的に送信することを指示する第１の情報を、無線資源制御信号に含めて前記移動局装置へ送信し、前記物理上りリンク共用チャネル（ＰＵＳＣＨ）で第２の受信品質情報を送信することを指示する第２の情報を、前記物理下りリンク制御チャネル（ＰＤＣＣＨ）を使用して前記移動局装置へ送信し、前記物理上りリンク共用チャネル（ＰＵＳＣＨ）で送信される前記第２の受信品質情報のリソース量の決定に用いられる第３の情報を、前記無線資源制御信号に含めて前記移動局装置へ送信し、前記第１の情報に基づいた前記第１の受信品質情報の送信と、前記第２の情報に基づいた前記第２の受信品質情報の送信と、が同時に生じ得る場合に、前記第２の受信品質情報のみを前記移動局装置から受信し、前記第２の受信品質情報のリソース量は、前記第３の情報に基づいて決定されることを特徴とする。
【００２４】
（８）また、本発明の通信方法において、前記第２の受信品質情報のリソース量は、前記物理下りリンク制御チャネル（ＰＤＣＣＨ）を使用して割り当てた前記物理上りリンク共用チャネル（ＰＵＳＣＨ）の大きさと、前記第３の情報と、に基づいて決定されることを特徴とする。
【００２５】
（９）また、本発明の通信方法において、前記第２の受信品質情報は、前記物理上りリンク共用チャネル（ＰＵＳＣＨ）で前記上りリンクデータと共に送信されることを特徴とする。
【００２６】
（１０）また、本発明の通信方法は、上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置の通信方法であって、第１の受信品質情報を周期的に送信することを指示する第１の情報が含まれる無線資源制御信号を、前記基地局装置から受信し、前記物理上りリンク共用チャネル（ＰＵＳＣＨ）で第２の受信品質情報を送信することを指示する第２の情報を、前記物理下りリンク制御チャネル（ＰＤＣＣＨ）を使用して前記基地局装置から受信し、前記物理上りリンク共用チャネル（ＰＵＳＣＨ）で送信される前記第２の受信品質情報のリソース量の決定に用いられる第３の情報が含まれる前記無線資源制御信号を、前記基地局装置から受信し、前記第１の情報に基づいた前記第１の受信品質情報の送信と、前記第２の情報に基づいた前記第２の受信品質情報の送信と、が同時に生じ得る場合に、前記第２の受信品質情報のみを前記基地局装置へ送信し、前記第２の受信品質情報のリソース量は、前記第３の情報に基づいて決定されることを特徴とする。
【００２７】
（１１）また、本発明の通信方法において、前記第２の受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第３の情報と、に基づいて決定されることを特徴とする。
【００２８】
（１２）また、本発明の通信方法において、前記第２の受信品質情報は、前記物理上りリンク共用チャネル（ＰＵＳＣＨ）で前記上りリンクデータと共に送信されることを特徴とする。
【発明の効果】
【００２９】
本発明によれば、基地局装置が、受信品質情報の送信頻度を制御することができる。ま
た、セル内の上りリンクリソースを考慮した受信品質情報の送信制御を行なうことができ
る。
【図面の簡単な説明】
【００３０】
【図１】本発明に係る第１の実施形態に係る基地局装置の概略構成を示すブロック図である。
【図２】本発明に係る第１の実施形態に係る移動局装置の概略構成を示すブロック図である。
【図３】本発明に係る第１の実施形態において、基地局装置から移動局装置に送信される制御信号、移動局装置から基地局装置に送信される受信品質情報、上りリンクデータ、受信品質情報送信形態を示す図である。
【図４】移動局装置が上りリンクデータと受信品質情報を同時に送信する際の送信形態を示した図である。
【図５】本発明に係る第１の実施形態においてスロットで送信される内容および形式を示す図である。
【図６】本発明に係る第１の実施形態の動作を示すシーケンスチャートである。
【図７】本発明の第１の実施形態において、基地局装置から移動局装置へＲＲＣシグナリングによって同時送信用物理フォーマットが指定された場合のスロットで送信される内容および形式を示す図である。
【図８】本発明の第１の実施形態において、基地局装置から移動局装置へＲＲＣシグナリングによって同時送信用物理フォーマットが指定された場合の動作を示すシーケンスチャートである。
【図９】本発明に係る第２の実施形態において、基地局装置から移動局装置に送信される制御信号、移動局装置から基地局装置に送信される受信品質情報、上りリンクデータ、受信品質情報送信形態を示す図である。
【図１０】本発明に係る第２の実施形態において、スロットで送信される内容および形式を示す図である。
【図１１】本発明に係る第２の実施形態の動作を示すシーケンスチャートである。
【図１２】本発明に係る第３の実施形態において、基地局装置から移動局装置に送信される制御信号、移動局装置から基地局装置に送信される受信品質情報、上りリンクデータ、受信品質情報送信形態を示す図である。
【図１３】本発明に係る第３の実施形態において、スロットで送信される内容および形式を示す図である。
【図１４】本発明に係る第３の実施形態の動作を示すシーケンスチャートである。
【図１５】本発明に係る第４の実施形態において、基地局装置から移動局装置に送信される制御信号、移動局装置から基地局装置に送信される受信品質情報、上りリンクデータ、受信品質情報送信形態を示す図である。
【図１６】本発明に係る第４の実施形態において、スロットで送信される内容および形式を示す図である。
【図１７】本発明に係る第４の実施形態の動作を示すシーケンスチャートである。
【図１８】従来の基地局装置と移動局装置との通信方法について説明するための図である。
【発明を実施するための形態】
【００３１】
（第１の実施形態）
まず始めに、本発明の第１の実施形態に係る移動通信システムについて説明する。この
移動通信システムは、基地局装置と移動局装置とから構成される。図１は、本発明の第１
の実施形態に係る基地局装置の概略構成を示すブロック図である。基地局装置１００は、
データ制御部１０１、変調符号化部１０２、マッピング部１０３、逆高速フーリエ変換（
ＩＦＦＴ）部１０４、無線送信部１０５、無線受信部１０６、高速フーリエ変換（ＦＦＴ
）部１０７、復調復号化部１０８、データ抽出部１０９、スケジューラ部１１０、送信情
報制御部１１１、アンテナ１１２を備えている。送信情報制御部１１１は、変調符号制御
部１１１ａ、周波数選択スケジューラ部１１１ｂを含んでいる。
【００３２】
基地局装置１００において、データ制御部１０１には、各移動局装置に送信される送信
データと、制御データとが入力され、スケジューラ部１１０からの指示に従って、それぞ
れのデータが逐次移動局装置に送信される。変調符号化部１０２は、変調符号制御部１１
１ａが決定した変調方式および符号化率に基づいて、データ制御部１０１から出力される
信号に対して、変調処理や誤り訂正符号化処理を施し、各データをマッピング部１０３に
出力する。マッピング部１０３は、周波数選択スケジューラ部１１１ｂから出力される周
波数選択スケジューリング情報に基づいて、変調符号化部１０２から出力されるデータを
、各サブキャリア上にマッピングし、逆高速フーリエ変換部１０４に出力する。  
逆高速フーリエ変換部１０４は、マッピング部１０３から出力されるデータに、逆高速
フーリエ変換の処理を施し、時系列のベースバンドデジタル信号に変換し、無線送信部１
０５に出力する。逆高速フーリエ変換部１０４からの出力信号は、無線送信部１０５にお
いてデジタル／アナログ変換され、送信に適した周波数にアップコンバートされた後に、
アンテナ１１２を介して、各移動局装置に送信される。
【００３３】
スケジューラ部１１０は、各移動局装置が使用することのできるリソース領域、間欠送
受信サイクル、送信データチャネルのフォーマット、バッファ状況などの制御情報に基づ
き、下りリンクのスケジューリング、上りリンクのスケジューリングを行なう。変調符号
制御部１１１ａは、移動局装置から送信される受信品質情報に基づいて、各データに施す
変調方式、符号化率を決定し、変調符号化部１０２に出力する。周波数選択スケジューラ
部１１１ｂは、移動局装置から送信される受信品質情報に基づいて、各データに施す周波
数選択スケジューリングの処理を行ない、その結果をマッピング部１０３に出力する。
【００３４】
図２は、本発明の第１の実施形態に係る移動局装置の概略構成を示すブロック図である
。移動局装置２００は、データ制御部２０１、変調符号化部２０２、マッピング部２０３
、逆高速フーリエ変換（ＩＦＦＴ）部２０４、無線送信部２０５、無線受信部２０６、高
速フーリエ変換（ＦＦＴ）部２０７、復調復号化部２０８、データ抽出部２０９、受信品
質情報制御部２１０、アンテナ２１１を備えている。受信品質情報制御部２１０は、受信
品質情報生成部２１０ａ、受信品質測定部２１０ｂを備えている。
【００３５】
移動局装置２００において、データ制御部２０１には、基地局装置に送信される送信デ
ータと、制御データとが入力され、それぞれのデータが逐次基地局装置に送信される。変
調符号化部２０２は、データ制御部２０１から出力される信号に変調処理や誤り訂正符号
化処理を施し、各データをマッピング部２０３に出力する。マッピング部２０３は、変調
符号化部２０２から出力されるデータを、各サブキャリア上にマッピングし、逆高速フー
リエ変換部２０４に出力する。
【００３６】
逆高速フーリエ変換部２０４は、マッピング部２０３から出力されるシンボル系列に逆
高速フーリエ変換の処理を施し、時系列のベースバンドデジタル信号に変換し、無線送信
部２０５に出力する。逆高速フーリエ変換部２０４からの出力信号は、無線送信部２０５
においてデジタル／アナログ変換され、送信に適した周波数にアップコンバートされた後
に、アンテナ２１１を介して、基地局装置に送信される。
【００３７】
受信品質測定部２１０ｂは、基地局装置から受信する信号の受信品質を測定する。受信
品質情報生成部２１０ａは、受信品質測定部２１０ｂによって測定された情報に基づいて
、基地局装置に送信する受信品質情報を生成する。
【００３８】
図３は、本発明に係る第１の実施形態において、基地局装置から移動局装置に送信され
る制御信号、移動局装置から基地局装置に送信される受信品質情報、上りリンクデータ、
受信品質情報送信形態を示す図である。図３では、例として、＃ｓｌｏｔ１〜＃ｓｌｏｔ
２４までの動作を示している。移動局装置は、基地局装置からの下りリンク制御チャネル
（以下、「ＰＤＣＣＨ（Ｐｈｙｓｉｃａｌ  Ｄｏｗｎｌｉｎｋ  Ｃｏｎｔｒｏｌ  Ｃｈａ
ｎｎｅｌ）」と呼称する。）によって指示されたリソース割当てに応じて、ＰＵＳＣＨを
使用してデータを送信する。すなわち、この下りリンク制御チャネル（ＰＤＣＣＨ）は、
上りリンクに対するデータ送信を許可する信号（以下、上りリンクデータ送信許可信号を
意味する「Ｌ１／Ｌ２グラント」と呼称する。）である。
【００３９】
図３における＃ｓｌｏｔ２での基地局装置、移動局装置の動作を説明する。移動局装置
に対して受信品質情報を送信するように指示することを判断した基地局装置は、そのスロ
ット（＃ｓｌｏｔ２）において、上りリンクデータと受信品質情報を同時に送信するよう
に指示する同時送信許可情報を、Ｌ１／Ｌ２グラント（上りリンクデータ送信許可信号）
に含めて送信する。同時送信許可情報を含んだＬ１／Ｌ２グラントを受信した移動局装置
は、図３の斜線を付した矩形のように、基地局装置に対して上りリンクデータと受信品質
情報を同時に送信する。＃ｓｌｏｔ２では、基地局装置から、＃ｓｌｏｔ２を制御するタ
イミングでＰＤＣＣＨを使用して、同時送信許可情報を含んだＬ１／Ｌ２グラントが移動
局装置に送信され、その信号を受信した移動局装置が、上りリンクデータと受信品質情報
を、同時に基地局装置に対して送信していることを示している。
【００４０】
また、＃ｓｌｏｔ３では、基地局装置から、同時送信許可情報を含まないＬ１／Ｌ２グ
ラントが移動局装置に送信され、その信号を受信した移動局装置は、白抜きの矩形で示し
たように、受信品質情報を含まない物理フォーマットで、ＰＵＳＣＨを使用して上りリン
クデータを基地局装置に送信する。図３では、同様に、＃ｓｌｏｔ９、＃ｓｌｏｔ２０で
、基地局装置から同時送信許可情報を含んだＬ１／Ｌ２グラントが送信され、その信号を
受信した移動局装置が上りリンクデータと受信品質情報を同時に送信していることを示し
ている。
【００４１】
図４は、移動局装置が上りリンクデータと受信品質情報を同時に送信する際の送信形態
を示した図である。図４では、一例として、２つの物理フォーマット（送信形態１、送信
形態２）を示している。移動局装置から基地局装置に対して送信されるデータを、１４Ｏ
ＦＤＭシンボルで表し、その１４ＯＦＤＭシンボル内に、データの復調を行なうための伝
搬路推定に用いる既知のリファレンスシンボル（パイロット信号、以下、ＲＳ）と、送信
形態１、送信形態２でそれぞれ異なる数の受信品質情報、上りリンクデータが配置されて
いる。
【００４２】
送信形態１では、２、６、９、１３ＯＦＤＭシンボル目に受信品質情報が配置され、３
、４、７、１０、１１、１４ＯＦＤＭシンボル目に上りリンクデータが配置されている。
送信形態２では、２、４、６、９、１１、１３ＯＦＤＭシンボル目に受信品質情報が配置
され、３、７、１０、１４ＯＦＤＭシンボル目に上りリンクデータが配置されている。
【００４３】
基地局装置から同時送信許可情報を含んだＬ１／Ｌ２グラントが送信され、その信号を
受信した移動局装置は、送信形態１または送信形態２で示されるような送信形態で、上り
リンクデータと受信品質情報を同時に基地局装置に対して送信する。
【００４４】
基地局装置は、移動局装置が同時に送信する上りリンクデータと受信品質情報の物理フ
ォーマットをＲＲＣシグナリング（無線資源制御信号）で指定することができる。例えば
、上りリンクデータと受信品質情報の割合を、ＯＦＤＭシンボル単位で設定し、上記送信
形態１または送信形態２などを詳細に設定する。例えば、１４ＯＦＤＭシンボルの送信デ
ータに対して、受信品質情報が４ＯＦＤＭシンボル分含まれているという情報や、アップ
リンクデータが６ＯＦＤＭシンボル分含まれているという情報を送信しても良い。また、
単純に、予め定められた送信形態の中から選択された送信形態を通知しても良い。さらに
、受信品質情報を符号化するときの変調方式、符号化方式についても、予めＲＲＣシグナ
リングで指定されていても良い。
【００４５】
また、図４において、送信形態１と送信形態２とでは、時間軸方向（１４ＯＦＤＭ）の
中でＲＳ、上りリンクデータ、受信品質情報の配置が変更されているが、周波数軸方向に
対して、これらの配置が変更されても良い。さらに、Ｌ１／Ｌ２グラントによって割り当
てられたＰＵＳＣＨのリソースの大きさに応じて、自動的に変更しても良い。例えば、低
い周波数帯域に配置されるリソースユニット（ＰＵＳＣＨの時間周波数ブロックの最小単
位）のみが受信品質情報を送信し、残りの高い周波数帯域に配置されるリソースユニット
は、上りリンクデータのみを送信することができる。受信品質情報を符号化するときの変
調方式、符号化方式についてもＬ１／Ｌ２グラントによって指定されたＰＵＳＣＨの変調
方式、符号化方式に応じて変更されても良い。
【００４６】
移動局装置は、基地局装置からＲＲＣシグナリングで指定された物理フォーマットを記
憶しておき、基地局装置から同時送信許可信号を含んだＬ１／Ｌ２グラントが送信される
と、その物理フォーマット（例えば、図４における送信形態１に示されるような、受信品
質情報に４ＯＦＤＭシンボル、上りリンクデータに６ＯＦＤＭシンボル使用するフォーマ
ット）で上りリンクデータと受信品質情報を同時に送信する。
【００４７】
ここで、同時送信用物理フォーマットとしてＲＲＣシグナリングに含まれる情報として
は、予め定められた数種類の物理フォーマットに対して付与されたインデックスや、上り
リンクデータが含まれるＯＦＤＭシンボルの数（例えば、１４ＯＦＤＭに対する上りリン
クデータの数６ＯＦＤＭ）、もしくは、受信品質情報が含まれるＯＦＤＭシンボルの数（
例えば、１４ＯＦＤＭに対する受信品質情報の数４ＯＦＤＭ）など、移動局装置が、上り
リンクデータと受信品質情報を同時に送信する際の割合を決定するものであれば何でも良
い。
【００４８】
また、送信形態の一例として、図４に示すような２種類の形態をあげたが、ＲＳ、上り
リンクデータ、受信品質情報の配置は、これ以外の配置であっても良い。さらに、送信さ
れるＯＦＤＭ信号の中に、ＲＳ、上りリンクデータ、受信品質情報以外の、例えば、ＡＣ
Ｋ／ＮＡＣＫ信号のような情報が含まれていても良い。
【００４９】
図５は、本発明に係る第１の実施形態においてスロットで送信される内容および形式を
示す図である。図６は、本発明に係る第１の実施形態の動作を示すシーケンスチャートで
ある。ここでは、説明を分かり易くするために、図３における＃ｓｌｏｔ１〜＃ｓｌｏｔ
１２までに対応したスロットおよびシーケンスを示している。また、以下、上りリンクを
「アップリンク」と呼び、下りリンクを「ダウンリンク」と呼ぶこともある。
【００５０】
図５および図６において、＃ｓｌｏｔ２で、基地局装置は、同時送信許可情報を含んだ
Ｌ１／Ｌ２グラントを移動局装置に対して送信する（ステップＳ１）。その信号を受信し
た移動局装置は、上りリンクデータと受信品質情報を同時に基地局装置に対して送信する
（ステップＳ２）。＃ｓｌｏｔ９においても同様の処理が行なわれる（ステップＳ７、Ｓ
８）。＃ｓｌｏｔ３で、基地局装置は、同時送信許可情報を含まないＬ１／Ｌ２グラント
を移動局装置に対して送信する（ステップＳ３）。その信号を受信した移動局装置は、受
信品質情報を含まない物理フォーマットで上りリンクデータを送信する（ステップＳ４）
。＃ｓｌｏｔ４、＃ｓｌｏｔ１１、＃ｓｌｏｔ１２においても同様の処理が行なわれる（
ステップＳ５、Ｓ６、Ｓ９、Ｓ１０、Ｓ１１、Ｓ１２）。
【００５１】
図７は、本発明の第１の実施形態において、基地局装置から移動局装置へＲＲＣシグナ
リングによって同時送信用物理フォーマットが指定された場合のスロットで送信される内
容および形式を示す図である。また、図８は、本発明の第１の実施形態において、基地局
装置から移動局装置へＲＲＣシグナリングによって同時送信用物理フォーマットが指定さ
れた場合の動作を示すシーケンスチャートである。図５および図６で示した場合と異なる
点は、＃ｓｌｏｔ１、および、＃ｓｌｏｔ８において、基地局装置から同時送信用物理フ
ォーマットを指定するＲＲＣシグナリングが、移動局装置に対して送信されている点であ
る。
【００５２】
図７および図８において、＃ｓｌｏｔ１で、基地局装置は、同時送信用物理フォーマッ
トを指定するＲＲＣシグナリングを移動局装置に対して送信する（ステップＳ２１）。こ
こでは、図４における送信形態１がＲＲＣシグナリングによって指定されるとする。移動
局装置は、指定された同時送信用物理フォーマット（送信形態１）を記憶しておく。＃ｓ
ｌｏｔ２で、基地局装置は、同時送信許可信号を含んだＬ１／Ｌ２グラントを移動局装置
に対して送信する（ステップＳ２２）。その信号を受信した移動局装置は、アップリンク
データと受信品質情報を、記憶しておいた送信形態１で基地局装置に対して送信する（ス
テップＳ２３）。
【００５３】
次に、基地局装置は、＃ｓｌｏｔ３で、同時送信許可信号を含まないＬ１／Ｌ２グラン
トを移動局装置に対して送信する（ステップＳ２４）。移動局装置は、アップリンクデー
タを基地局装置に対して送信する（ステップＳ２５）。＃ｓｌｏｔ４、＃ｓｌｏｔ６、＃
ｓｌｏｔ１１、＃ｓｌｏｔ１２においても同様の処理が行なわれる（ステップＳ２６、Ｓ
２７、Ｓ２８、Ｓ２９、Ｓ３３〜Ｓ３６）。
【００５４】
＃ｓｌｏｔ８で、基地局装置は同時送信用物理フォーマット指定を含んだＲＲＣシグナ
リングを移動局装置に対して送信する（ステップＳ３０）。ここでは、図４における送信
形態２がＲＲＣシグナリングによって指定されるとする。移動局装置は、指定された同時
送信用物理フォーマット（送信形態２）を記憶しておく。＃ｓｌｏｔ９で、基地局装置は
、同時送信許可信号を含んだＬ１／Ｌ２グラントを移動局装置に対して送信する（ステッ
プＳ３１）。その信号を受信した移動局装置は、上りリンクデータと受信品質情報を、記
憶しておいた送信形態２で基地局装置に対して送信する（ステップＳ３２）。
【００５５】
以上のように、本発明に係る第１の実施形態によれば、基地局装置が、上りリンクデー
タと受信品質情報を同時に送信することを許可する同時送信許可情報を含んだＬ１／Ｌ２
グラントを送信し、その信号を受信した移動局装置が、上りリンクデータと受信品質情報
を同時に送信することにより、基地局装置が、受信品質情報の送信頻度を制御することが
でき、セル内の上りリンクリソースを考慮した受信品質情報の送信制御を行なうことがで
きる。
【００５６】
また、上りリンクデータと受信品質情報を同時に送信することが可能であるため、Ｌ１
／Ｌ２グラントのリソースの無駄遣いを減らすことにつながる。すなわち、基地局装置か
ら移動局装置へ無線資源制御信号（ＲＲＣシグナリング）を用いて固定したタイミングで
受信品質情報の送信指示をしていたものを、上りリンクデータ送信許可信号を用いてダイ
ナミックに受信品質情報の送信指示を行なうようにする場合、基地局装置から移動局装置
に対して、どのタイミングで受信品質情報を送信すべきかを上りリンクデータ送信許可信
号を用いて指示する必要がある。本発明によれば、受信品質情報と上りリンクデータとを
同時に送信する旨を移動局装置に対して指示する同時送信許可情報を、上りリンクデータ
送信許可信号に含めて移動局装置へ送信するので、下りリンクにおいて、上りリンクデー
タ送信許可信号のリソースの無駄遣いを減らし、リソースを有効に活用することが可能と
なる。
【００５７】
さらに、基地局装置が、上りリンクデータと受信品質情報を同時に送信する際の同時送
信用物理フォーマットを指定するＲＲＣシグナリングを送信することにより、移動局装置
から送信される受信品質情報の情報量に柔軟に対応した送信制御を行なうことができる。
【００５８】
（第２の実施形態）
図９は、本発明に係る第２の実施形態において、基地局装置から移動局装置に送信され
る制御信号、移動局装置から基地局装置に送信される受信品質情報、上りリンクデータ、
受信品質情報送信形態を示す図である。図９では、例として、＃ｓｌｏｔ１〜＃ｓｌｏｔ
２４までの動作を示している。
【００５９】
まず基地局装置は、移動局装置がＰＵＣＣＨを使用して受信品質情報を送信する際のリ
ソース割当て、送信間隔をＲＲＣシグナリングに含めて送信する。一般的に、ＰＵＣＣＨ
として割り当てられるリソース領域は、ＰＵＳＣＨとして割り当てられるリソース領域よ
り・BR>熄ャさいため、送信する情報量のサイズも小さくなる。すなわち、移動局装置がＰＵＣ
ＣＨを使用して送信する受信品質情報は、小さな情報量の受信品質情報であり、ＰＵＳＣ
Ｈを使用して送信する受信品質情報は、大きな情報量の受信品質情報となる。
【００６０】
＃ｓｌｏｔ２における動作について説明する。基地局装置からＲＲＣシグナリングによ
って、ＰＵＣＣＨを使用して受信品質情報を送信する際のリソース割当て、送信間隔の設
定が行なわれた移動局装置は、定められたＰＵＣＣＨのリソース、送信間隔で、小さな情
報量の受信品質情報を基地局装置に対して送信する。図９では、送信間隔５ｓｌｏｔで、
ＰＵＣＣＨを使用して受信品質情報を送信していることが示されている。
【００６１】
次に、＃ｓｌｏｔ３における動作について説明する。＃ｓｌｏｔ３で、基地局装置は、
第１の実施形態で説明したように、上りリンクデータと受信品質情報を同時に送信するよ
うに指示する同時送信許可情報をＬ１／Ｌ２グラントに含めて移動局装置に対して送信す
る。基地局装置から、同時送信許可情報を含んだＬ１／Ｌ２グラントを受信した移動局装
置は、上りリンクデータと大きな情報量の受信品質情報を、ＰＵＳＣＨを使用して同時に
送信する。この際に送信されるデータの送信形態は、第１の実施形態で示したものと同様
に、基地局装置から同時送信用物理フォーマットを含んだＲＲＣシグナリングで制御され
てもよい。
【００６２】
次に、＃ｓｌｏｔ７における動作について説明する。＃ｓｌｏｔ７は、基地局装置が、
事前にＰＵＣＣＨを使用して受信品質情報を送信するように設定したスロットに、さらに
同時送信許可情報を含んだＬ１／Ｌ２グラントを送信した場合について示している。＃ｓ
ｌｏｔ７において、基地局装置から同時送信許可情報を含んだＬ１／Ｌ２グラントを受信
した移動局装置は、基地局装置に対して上りリンクデータと受信品質情報を、ＰＵＳＣＨ
を使用して同時に送信する。
【００６３】
ここで、上りリンクデータと同時に送信する受信品質情報としては、大きな情報量の受
信品質情報、もしくは、ＰＵＣＣＨで送信しようとしていた小さな情報量の受信品質情報
と大きな情報量の受信品質情報、もしくは、ＰＵＣＣＨで送信しようとしていた小さな情
報量の受信品質情報とその関係を送信することができる。小さな情報量を持った受信品質
情報とその関係とは、ＰＵＣＣＨで送信しようとしていた小さな情報量を持った受信品質
情報と、その受信品質情報に対する差分情報などを示す。具体的には、広帯域の受信品質
情報の平均値を小さな情報量の受信品質情報として、狭帯域の受信品質情報をその平均値
からの差分情報として表し、送信することなどを示している。例えば、受信品質情報とし
て、１５、１２、１０、８の４個の値を送信しようとする場合、「小さな情報量」として
平均値を求めると「９」となる。また、「その関係」として、平均値からの差分情報を求
めると、６、３、１、−１となる。これらをＰＵＳＣＨで上りリンクデータと同時に送信
するのである。このように、平均値の差分情報は少ないビット数で表すことができるため
、上りリンクデータチャネルで送信される受信品質情報のビット数を削減することが可能
となる。
【００６４】
さらに、＃ｓｌｏｔ７における基地局装置の動作について説明する。移動局装置が、Ｐ
ＵＣＣＨで送信しようとしていた小さな情報量の受信品質情報と大きな情報量の受信品質
情報またはＰＵＣＣＨで送信しようとしていた小さな情報量の受信品質情報とその関係を
、基地局装置に対して送信する際、事前にＲＲＣシグナリングで設定されていたＰＵＣＣ
Ｈのリソースでは、何も送信しない。
【００６５】
基地局装置は、同時送信許可情報を含んだＬ１／Ｌ２グラントを送信することにより、
ＰＵＣＣＨのリソースで送信する情報がなくなることが事前に分かるため、他の移動局装
置が、このリソースを使用して、上りリンクの情報（例えば、ＡＣＫ／ＮＡＣＫ信号）を
送信することができるようにスケジューリングを行なう。
【００６６】
このスケジューリングを行なうことにより、受信品質情報を送信するために事前に確保
していたＰＵＣＣＨのリソースを、他の移動局装置に対して使用することができ上りリン
クリソースをより効率的に使用することができる。
【００６７】
＃ｓｌｏｔ１２では、基地局装置がＲＲＣシグナリングによってＰＵＣＣＨを使用して
小さな情報量を持った受信品質情報を送信するように移動局装置に対して設定したスロッ
トに、同時送信許可情報を含まないＬ１／Ｌ２グラントを送信した場合について示してい
る。＃ｓｌｏｔ１２における動作について説明する。＃ｓｌｏｔ１２において、基地局装
置から同時送信許可情報を含まないＬ１／Ｌ２グラントを受信した移動局装置は、上りリ
ンクデータとＰＵＣＣＨで送信しようとしていた小さな情報の受信品質情報を、ＰＵＳＣ
Ｈを使用して同時に送信する。
【００６８】
このときにＰＵＳＣＨを使用して送信する上りリンクデータとＰＵＣＣＨで送信しよう
としていた小さな情報の受信品質情報を同時に送信するための物理フォーマットは、予め
決められているものを使用するか、もしくは、ＲＲＣシグナリングによって制御される。
すなわち、ＰＵＣＣＨで送信しようとしていた小さな情報の受信品質情報と上りリンクデ
ータを同時に送信する物理フォーマットと、同時送信許可情報を含んだＬ１／Ｌ２グラン
トを受信した場合の、大きな情報の受信品質情報と上りリンクデータを同時に送信する物
理フォーマットが定義される。
【００６９】
＃ｓｌｏｔ１２においても、基地局装置は、同時送信許可情報を含まないＬ１／Ｌ２グ
ラントを送信することにより、ＰＵＣＣＨのリソースで送信する情報がなくなることが事
前に分かるため、他の移動局装置が、このリソースを使用して、上りリンクの情報（例え
ば、ＡＣＫ／ＮＡＣＫ信号）を送信することができるようにスケジューリングを行なう。
【００７０】
図１０は、本発明に係る第２の実施形態において、スロットで送信される内容および形
式を示す図である。また、図１１は、本発明に係る第２の実施形態の動作を示すシーケン
スチャートである。ここでは、説明を分かり易くするために、図９における＃ｓｌｏｔ１
〜＃ｓｌｏｔ１２までに対応したスロットおよびシーケンスを示している。図１０および
図１１において、＃ｓｌｏｔ１で、基地局装置からＲＲＣシグナリングによって、移動局
装置がＰＵＣＣＨを使用して受信品質情報を送信する際のリソース割当て、送信間隔の設
定が行なわれる（ステップＳ４０）。＃ｓｌｏｔ２において、移動局装置は、設定された
ＰＵＣＣＨのリソース、設定送信間隔で小さな情報量の受信品質情報を送信する（ステッ
プＳ４１）。＃ｓｌｏｔ３で、基地局装置は、同時送信許可情報を含むＬ１／Ｌ２グラン
トを送信する（ステップＳ４２）。この信号を受信した移動局装置は、上りリンクデータ
と大きな情報量の受信品質情報を、ＰＵＳＣＨを使用して同時に送信する（ステップＳ４
３）。
【００７１】
＃ｓｌｏｔ４で、基地局装置は、同時送信許可情報を含まないＬ１／Ｌ２グラントを送
信する（ステップＳ４４）。この信号を受信した移動局装置は、上りリンクデータを、Ｐ
ＵＳＣＨを使用して送信する（ステップＳ４５）。＃ｓｌｏｔ８、＃ｓｌｏｔ１０におい
ても同様の処理が行なわれる（ステップＳ４８〜Ｓ５１）。
【００７２】
＃ｓｌｏｔ７で、基地局装置は、同時送信許可情報を含むＬ１／Ｌ２グラントを送信す
る（ステップＳ４６）。この信号を受信した移動局装置は、上りリンクデータと大きな情
報量の受信品質情報または上りリンクデータとＰＵＣＣＨで送信しようとしていた小さな
情報量の受信品質情報と大きな情報量の受信品質情報、もしくは、上りリンクデータとＰ
ＵＣＣＨで送信しようとしていた小さな情報量の受信品質情報とその関係を、ＰＵＳＣＨ
を使用して送信する（ステップＳ４７）。また、基地局装置は、他の移動局装置が、この
リソースを使用して、上りリンクの情報を送信することができるようにスケジューリング
を行なう。
【００７３】
＃ｓｌｏｔ１２で、基地局装置は、同時送信許可情報を含まないＬ１／Ｌ２グラントを
送信する（ステップＳ５２）。この信号を受信した移動局装置は、上りリンクデータとＰ
ＵＣＣＨで送信しようとしていた受信品質情報を、ＰＵＳＣＨを使用して送信する（ステ
ップＳ５３）。また、基地局装置は、他の移動局装置が、このリソースを使用して、上り
リンクの情報を送信することができるようにスケジューリングを行なう。
【００７４】
以上のように、本発明に係る第２の実施形態によれば、基地局装置が、ＰＵＣＣＨを使
用して受信品質情報を送信するためのリソース、送信間隔をＲＲＣシグナリングに含めて
送信し、また、上りリンクデータと受信品質情報を同時に送信することを許可する同時送
信許可情報を含んだＬ１／Ｌ２グラントを送信することにより、受信品質情報の送信頻度
を制御することができ、また、受信品質情報の情報量に柔軟に対応した送信制御を行なう
ことができる。
【００７５】
さらに、上りリンクデータと受信品質情報を同時に送信することが可能であるため、Ｌ
１／Ｌ２グラントのリソースの無駄遣いを減らすことにつながる。すなわち、基地局装置
から移動局装置へ無線資源制御信号（ＲＲＣシグナリング）を用いて固定したタイミング
で受信品質情報の送信指示をしていたものを、上りリンクデータ送信許可信号を用いてダ
イナミックに受信品質情報の送信指示を行なうようにする場合、基地局装置から移動局装
置に対して、どのタイミングで受信品質情報を送信すべきかを上りリンクデータ送信許可
信号を用いて指示する必要がある。本発明によれば、受信品質情報と上りリンクデータと
を同時に送信する旨を移動局装置に対して指示する同時送信許可情報を、上りリンクデー
タ送信許可信号に含めて移動局装置へ送信するので、下りリンクにおいて、上りリンクデ
ータ送信許可信号のリソースの無駄遣いを減らし、リソースを有効に活用することが可能
となる。
【００７６】
（第３の実施形態）
図１２は、本発明に係る第３の実施形態において、基地局装置から移動局装置に送信さ
れる制御信号、移動局装置から基地局装置に送信される受信品質情報、上りリンクデータ
、受信品質情報送信形態を示す図である。図１２では、例として、＃ｓｌｏｔ１〜＃ｓｌ
ｏｔ２４までの動作を示している。まず、基地局装置は、受信品質情報送信可能時間領域
をＲＲＣシグナリングに含めて移動局装置に対して送信する。この受信品質情報送信可能
時間領域とは、この領域内のいずれかでＬ１／Ｌ２グラントを受信した移動局装置が、上
りリンクデータと受信品質情報を同時に送信することができる領域である。これにより、
基地局装置から送信するＬ１／Ｌ２グラントに、同時送信許可情報を含める必要がなく、
下りリンクリソースをより効率的に使用することができる。
【００７７】
図１２は、基地局装置からＲＲＣシグナリングによって＃ｓｌｏｔ１〜＃ｓｌｏｔ４、
＃１１〜＃１４、＃２１〜＃２４のスロットに対して受信品質情報送信可能時間領域を設
定していることを示している。また、移動局装置は、受信品質情報送信可能時間領域内で
最初に受信したＬ１／Ｌ２グラント（＃ｓｌｏｔ２、＃ｓｌｏｔ１１、＃ｓｌｏｔ２３）
に対して、上りリンクデータと受信品質情報を同時に送信していることを示している。
【００７８】
移動局装置が上りリンクデータと受信品質情報を同時に送信する際の送信形態は、第１
の実施形態で示したものと同様であり、基地局装置から同時送信用物理フォーマットを含
んだＲＲＣシグナリングが送信されても良い。
【００７９】
図１３は、本発明に係る第３の実施形態において、スロットで送信される内容および形
式を示す図である。また、図１４は、本発明に係る第３の実施形態の動作を示すシーケン
スチャートである。ここでは、説明を分かり易くするために、図１２における＃ｓｌｏｔ
１〜＃ｓｌｏｔ１２までに対応したスロットおよびシーケンスを示している。
【００８０】
図１３および図１４において、＃ｓｌｏｔ１で、基地局装置は、受信品質情報送信可能
時間領域を含むＲＲＣシグナリングを、移動局装置に対して送信する（ステップＳ６０）
。その時間領域内のいずれかでＬ１／Ｌ２グラントを受信した移動局装置は（ステップＳ
６１）、上りリンクデータと受信品質情報を同時に送信する（ステップＳ６２）。＃ｓｌ
ｏｔ１１でも同様の処理が行なわれる（ステップＳ６９、Ｓ７０）。＃ｓｌｏｔ３で、Ｌ
１／Ｌ２グラントを受信した移動局装置は（ステップＳ６３）、上りリンクデータを送信
する（ステップＳ６４）。
【００８１】
この例では、受信品質情報送信可能時間領域内で最初に受信したＬ１／Ｌ２グラントに
対して上りリンクデータと受信品質情報を同時に送信することを示しているので、＃ｓｌ
ｏｔ３では同時送信は行なわない。＃ｓｌｏｔ６、＃ｓｌｏｔ７、＃ｓｌｏｔ１２でも同
様の処理が行なわれる（ステップＳ６５〜Ｓ６８、Ｓ７１、Ｓ７２）。
【００８２】
本発明の第３の実施形態においては、説明を分かり易くするために受信品質情報送信可
能時間領域内で最初に受信したＬ１／Ｌ２グラントに対して、上りリンクデータと受信品
質情報を同時に送信する例について説明したが、受信品質情報送信可能時間領域のいずれ
かのスロットで受信品質情報を送信することができる。
【００８３】
以上のように、本発明の第３の実施形態によれば、基地局装置が、受信品質情報送信可
能時間領域をＲＲＣシグナリングに含めて移動局装置に対して送信し、その時間領域内で
Ｌ１／Ｌ２グラントを受信した移動局装置が、上りリンクデータと受信品質情報を同時に
送信することにより、基地局装置が、受信品質情報の送信頻度を制御することができ、ま
た、受信品質情報の情報量に柔軟に対応した送信制御を行なうことができる。さらに、上
りリンクデータと受信品質情報を同時に送信することが可能であるため、Ｌ１／Ｌ２グラ
ントのリソースの無駄遣いを減らすことにつながる。
【００８４】
また、基地局装置から移動局装置に対して送信するＬ１／Ｌ２グラントに情報を追加す
ることなく、より効率的に受信品質情報の送信制御を行なうことができる。すなわち、基
地局装置から移動局装置へ無線資源制御信号（ＲＲＣシグナリング）を用いて固定したタ
イミングで受信品質情報の送信指示をしていたものを、上りリンクデータ送信許可信号を
用いてダイナミックに受信品質情報の送信指示を行なうようにする場合、基地局装置から
移動局装置に対して、どのタイミングで受信品質情報を送信すべきかを上りリンクデータ
送信許可信号を用いて指示する必要がある。本発明によれば、受信品質情報と上りリンク
データとを同時に送信する旨を移動局装置に対して指示する同時送信許可情報を、上りリ
ンクデータ送信許可信号に含めて移動局装置へ送信するので、下りリンクにおいて、上り
リンクデータ送信許可信号のリソースの無駄遣いを減らし、リソースを有効に活用するこ
とが可能となる。
【００８５】
（第４の実施形態）
図１５は、本発明に係る第４の実施形態において、基地局装置から移動局装置に送信さ
れる制御信号、移動局装置から基地局装置に送信される受信品質情報、上りリンクデータ
、受信品質情報送信形態を示す図である。図１５では、例として、＃ｓｌｏｔ１〜＃ｓｌ
ｏｔ２４までの動作を示している。まず、基地局装置は、移動局装置がＰＵＣＣＨを使用
して受信品質情報を送信する際のリソース割当て、送信間隔、受信品質情報送信可能時間
領域をＲＲＣシグナリングに含めて移動局装置に対して送信する。
【００８６】
図１５では、送信間隔５ｓｌｏｔで、ＰＵＣＣＨを使用して受信品質情報を送信し、＃
ｓｌｏｔ１〜＃ｓｌｏｔ４、＃１１〜＃１４、＃２１〜＃２４に受信品質情報送信可能時
間領域を設定していることを示している。また、移動局装置は、受信品質情報送信可能時
間領域内で最初に受信したＬ１／Ｌ２グラント（＃ｓｌｏｔ３、＃ｓｌｏｔ１２、＃ｓｌ
ｏｔ２３）に対して、上りリンクデータと受信品質情報を同時に送信していることを示し
ている。
【００８７】
＃ｓｌｏｔ２で、基地局装置からＲＲＣシグナリングによって、ＰＵＣＣＨを使用して
受信品質情報を送信する際のリソース割当て、送信間隔の設定が行なわれた移動局装置は
、その設定で定められたＰＵＣＣＨのリソース、送信間隔で、小さな情報量の受信品質情
報を、ＰＵＣＣＨを使用して送信する。
【００８８】
＃ｓｌｏｔ３で、基地局装置からＬ１／Ｌ２グラントを受信した移動局装置は、上りリ
ンクデータと受信品質情報を同時に送信する。上りリンクデータと受信品質情報を同時に
送信する際の送信形態は、第１の実施形態で示したものと同様であるが、基地局装置から
同時送信用物理フォーマットを含んだＲＲＣシグナリングが送信されても良い。
【００８９】
＃ｓｌｏｔ７では、ＰＵＣＣＨを使用して小さな情報量の受信品質情報を送信するよう
に設定されたスロットに、基地局装置がＬ１／Ｌ２グラントを送信したことを示している
。＃ｓｌｏｔ７において、基地局装置からＬ１／Ｌ２グラントを受信した移動局装置は、
上りリンクデータと、ＰＵＣＣＨで送信しようとしていた小さな情報の受信品質情報を、
ＰＵＳＣＨを使用して同時に送信する。この際に基地局装置は、第２の実施形態で説明し
たように、Ｌ１／Ｌ２グラントを送信することにより、ＰＵＣＣＨのリソースで送信する
情報がなくなることが事前に分かるため、他の移動局装置が、このリソースを使用して、
上りリンクの情報（例えば、ＡＣＫ／ＮＡＣＫ信号）を送信することができるようにスケ
ジューリングを行なう。
【００９０】
＃ｓｌｏｔ１２では、ＰＵＣＣＨを使用して小さな情報量の受信品質情報を送信するよ
うに設定したスロットに、受信品質情報送信可能時間領域内でＬ１／Ｌ２グラントを送信
したことを示している。＃ｓｌｏｔ１２において、基地局装置からＬ１／Ｌ２グラントを
受信した移動局装置は、上りリンクデータと受信品質情報を、ＰＵＳＣＨを使用して同時
に送信する。ここで、上りリンクデータと同時に送信する受信品質情報としては、第２の
実施形態で説明したように、大きな情報量の受信品質情報、もしくは、ＰＵＣＣＨで送信
しようとしていた小さな情報量の受信品質情報と大きな情報量の受信品質情報、もしくは
、ＰＵＣＣＨで送信しようとしていた小さな情報量の受信品質情報とその関係を送信する
ことができる。
【００９１】
図１６は、本発明に係る第４の実施形態において、スロットで送信される内容および形
式を示す図である。また、図１７は、本発明に係る第４の実施形態の動作を示すシーケン
スチャートである。ここでは、説明を分かり易くするために、図１５における＃ｓｌｏｔ
１〜＃ｓｌｏｔ１２までに対応したスロットおよびシーケンスを示している。
【００９２】
図１６および図１７において、＃ｓｌｏｔ１で、基地局装置は、ＰＵＣＣＨを使用して
受信品質情報を送信する際のリソース割当て、送信間隔、および、受信品質情報送信可能
時間領域をＲＲＣシグナリングに含めて送信する（ステップＳ８０）。この信号を受信し
た移動局装置は、設定により定められたＰＵＣＣＨのリソース、送信間隔で小さな情報量
の受信品質情報を送信し（ステップＳ８１）、また、受信品質情報送信可能時間領域内の
いずれかでＬ１／Ｌ２グラントを受信した場合（ステップＳ８２）、上りリンクデータと
受信品質情報を同時に送信する（ステップＳ８３）。
【００９３】
＃ｓｌｏｔ２では、移動局装置は、小さな情報量の受信品質情報を、ＰＵＣＣＨを使用
して送信する。＃ｓｌｏｔ３で、基地局装置はＬ１／Ｌ２グラントを送信し（ステップＳ
８２）、その信号を受信した移動局装置は、上りリンクデータと受信品質情報を同時に送
信する（ステップＳ８３）。＃ｓｌｏｔ４で、基地局装置はＬ１／Ｌ２グラントを送信し
（ステップＳ８４）、その信号を受信した移動局装置は、上りリンクデータを送信する（
ステップＳ８５）。
【００９４】
この例では、受信品質情報送信可能時間領域内で最初に受信したＬ１／Ｌ２グラントに
対して上りリンクデータと受信品質情報を同時に送信することを示しているので、＃ｓｌ
ｏｔ４では同時送信は行なわない。＃ｓｌｏｔ６、＃ｓｌｏｔ９でも同様の処理が行なわ
れる（ステップＳ８６、Ｓ８７、Ｓ９０、Ｓ９１）。
【００９５】
＃ｓｌｏｔ７で、基地局装置はＬ１／Ｌ２グラントを送信し（ステップＳ８８）、その
信号を受信した移動局装置は、上りリンクデータとＰＵＣＣＨで送信しようとしていた小
さな情報量の受信品質情報を、ＰＵＳＣＨを使用して送信する（ステップＳ８９）。また
、基地局装置は、他の移動局装置が、このリソースを使用して、上りリンクの情報を送信
することができるようにスケジューリングを行なう。
【００９６】
＃ｓｌｏｔ１２で、基地局装置はＬ１／Ｌ２グラントを送信し（ステップＳ９２）、そ
の信号を受信した移動局装置は、上りリンクデータと大きな情報量を持った受信品質情報
、もしくは、上りリンクデータとＰＵＣＣＨで送信しようとしていた小さな情報量の受信
品質情報と大きな情報量の受信品質情報、もしくは、上りリンクデータとＰＵＣＣＨで送
信しようとしていた小さな情報量の受信品質情報とその関係を送信する（ステップＳ９３
）。
【００９７】
第４の実施形態においては、説明を分かり易くするために受信品質情報送信可能時間領
域内で最初に受信したＬ１／Ｌ２グラントに対して、上りリンクデータと受信品質情報を
同時に送信する例について説明したが、受信品質情報送信可能時間領域のいずれかのスロ
ットで受信品質情報を送信することができる。
【００９８】
以上のように、本発明に係る第４の実施形態によれば、基地局装置が、移動局装置がＰ
ＵＣＣＨを使用して受信品質情報を送信する際のリソース割当て、送信間隔、受信品質情
報送信可能時間領域をＲＲＣシグナリングに含めて移動局装置に対して送信し、その時間
領域内でＬ１／Ｌ２グラントを受信した移動局装置が、上りリンクデータと受信品質情報
を同時に送信することにより、基地局装置が、受信品質情報の送信頻度を制御することが
でき、また、受信品質情報の情報量に柔軟に対応した送信制御を行なうことができる。
【００９９】
さらに、上りリンクデータと受信品質情報を同時に送信することが可能であるため、Ｌ
１／Ｌ２グラントのリソースの無駄遣いを減らすことにつながる。すなわち、基地局装置
から移動局装置へ無線資源制御信号（ＲＲＣシグナリング）を用いて固定したタイミング
で受信品質情報の送信指示をしていたものを、上りリンクデータ送信許可信号を用いてダ
イナミックに受信品質情報の送信指示を行なうようにする場合、基地局装置から移動局装
置に対して、どのタイミングで受信品質情報を送信すべきかを上りリンクデータ送信許可
信号を用いて指示する必要がある。本発明によれば、受信品質情報と上りリンクデータと
を同時に送信する旨を移動局装置に対して指示する同時送信許可情報を、上りリンクデー
タ送信許可信号に含めて移動局装置へ送信するので、下りリンクにおいて、上りリンクデ
ータ送信許可信号のリソースの無駄遣いを減らし、リソースを有効に活用することが可能
となる。
【０１００】
また、基地局装置から移動局装置に対して送信するＬ１／Ｌ２グラントに情報を追加す
ることなく、より効率的に受信品質情報の送信制御を行なうことができる。
【０１０１】
以上、この発明の実施形態について図面を参照して詳述してきたが、具体的な構成はこ
の実施形態に限られるものではなく、この発明の要旨を逸脱しない範囲の設計等も特許請
求の範囲に含まれる。
【０１０２】
上述のとおり、本実施形態の移動通信システムは、移動局装置が、基地局装置から受信
した信号の受信品質を測定し、受信品質情報を前記基地局装置へ送信する移動通信システ
ムであって、基地局装置は、受信品質情報と上りリンクデータとを同時に送信する旨を移
動局装置に対して指示する同時送信許可情報を、上りリンクデータ送信許可信号に含めて
移動局装置へ送信し、前記移動局装置は、前記同時送信許可情報を含む上りリンクデータ
送信許可信号を前記基地局装置から受信した場合は、受信品質情報と上りリンクデータと
を同時に前記基地局装置へ送信することを特徴としている。
【０１０３】
このように、基地局装置は、同時送信許可情報を、上りリンクデータ送信許可信号に含
めて移動局装置へ送信し、移動局装置は、同時送信許可情報を含む上りリンクデータ送信
許可信号を基地局装置から受信した場合は、受信品質情報と上りリンクデータとを同時に
基地局装置へ送信するので、基地局装置が、受信品質情報の送信頻度を制御することがで
きる。また、セル内の上りリンクリソースを考慮した受信品質情報の送信制御を行なうこ
とができる。また、基地局装置から移動局装置へ無線資源制御信号（ＲＲＣシグナリング
）を用いて固定したタイミングで受信品質情報の送信指示をしていたものを、上りリンク
データ送信許可信号を用いてダイナミックに受信品質情報の送信指示を行なうようにする
場合、基地局装置から移動局装置に対して、どのタイミングで受信品質情報を送信すべき
かを上りリンクデータ送信許可信号を用いて指示する必要がある。本発明によれば、受信
品質情報と上りリンクデータとを同時に送信する旨を移動局装置に対して指示する同時送
信許可情報を、上りリンクデータ送信許可信号に含めて移動局装置へ送信するので、下り
リンクにおいて、上りリンクデータ送信許可信号のリソースの無駄遣いを減らし、リソー
スを有効に活用することが可能となる。
【０１０４】
また、本実施形態の移動通信システムは、移動局装置が、基地局装置から受信した信号
の受信品質を測定し、受信品質情報を前記基地局装置へ送信する移動通信システムであっ
て、基地局装置は、移動局装置が上りリンク制御チャネルを使用して受信品質情報を前記
基地局装置へ送信するためのリソースの割り当ておよび受信品質情報の送信間隔を指示す
る情報を、無線資源制御信号に含めて前記移動局装置へ送信した後、受信品質情報と上り
リンクデータとを同時に送信する旨を移動局装置に対して指示する同時送信許可情報を、
上りリンクデータ送信許可信号に含めて移動局装置へ送信し、前記移動局装置は、前記基
地局装置から送信された前記無線資源制御信号に含まれる指示に従って、上りリンク制御
チャネルを使用して受信品質情報を定期的に前記基地局装置へ送信すると共に、前記同時
送信許可情報を含む上りリンクデータ送信許可信号を前記基地局装置から受信した場合は
、上りリンクデータチャネルを使用して受信品質情報と上りリンクデータとを同時に前記
基地局装置へ送信することを特徴としている。
【０１０５】
このように、基地局装置は、移動局装置が上りリンク制御チャネルを使用して受信品質
情報を基地局装置へ送信するためのリソースの割り当ておよび受信品質情報の送信間隔を
指示する情報を、無線資源制御信号に含めて移動局装置へ送信した後、同時送信許可情報
を、上りリンクデータ送信許可信号に含めて移動局装置へ送信するので、受信品質情報の
送信頻度を制御することができる。また、受信品質情報を送信する際に上りリンク制御チ
ャネルと上りリンクデータチャネルとを使い分けることができるので、受信品質情報の情
報量に柔軟に対応した送信制御を行なうことが可能となる。また、基地局装置から移動局
装置へ無線資源制御信号（ＲＲＣシグナリング）を用いて固定したタイミングで受信品質
情報の送信指示をしていたものを、上りリンクデータ送信許可信号を用いてダイナミック
に受信品質情報の送信指示を行なうようにする場合、基地局装置から移動局装置に対して
、どのタイミングで受信品質情報を送信すべきかを上りリンクデータ送信許可信号を用い
て指示する必要がある。本発明によれば、受信品質情報と上りリンクデータとを同時に送
信する旨を移動局装置に対して指示する同時送信許可情報を、上りリンクデータ送信許可
信号に含めて移動局装置へ送信するので、下りリンクにおいて、上りリンクデータ送信許
可信号のリソースの無駄遣いを減らし、リソースを有効に活用することが可能となる。
【０１０６】
また、本実施形態の移動通信システムにおいて、前記基地局装置が、予め前記無線資源
制御情報を用いて移動局装置に対して上りリンク制御チャネルを使用して受信品質情報を
送信するように指示した上りリンクのスロットに対応する下りリンクのスロットで、前記
同時送信許可情報を含む上りリンクデータ送信許可信号を前記移動局装置に対して送信し
、前記移動局装置が、前記同時送信許可情報を含む上りリンクデータ送信許可信号を前記
基地局装置から受信した場合、前記移動局装置は、上りリンクデータチャネルを使用して
受信品質情報と上りリンクデータとを同時に前記基地局装置へ送信することを特徴として
いる。
【０１０７】
このように、基地局装置が、予め無線資源制御情報を用いて移動局装置に対して上りリ
ンク制御チャネルを使用して受信品質情報を送信するように指示した上りリンクのスロッ
トでは、移動局装置は、上りリンク制御チャネルを使用して受信品質情報を定期的に基地
局装置へ送信している。その上りリンクのスロットに対応する下りリンクのスロットで、
基地局装置が、同時送信許可情報を含む上りリンクデータ送信許可信号を移動局装置に対
して送信し、移動局装置が、その同時送信許可情報を含む上りリンクデータ送信許可信号
を受信した場合、移動局装置は、上りリンクデータチャネルを使用して受信品質情報と上
りリンクデータとを同時に基地局装置へ送信する。この構成により、基地局装置は、上り
リンクデータ送信許可信号に含めて移動局装置へ送信するので、受信品質情報の送信頻度
を制御することができる。また、受信品質情報を送信する際に上りリンク制御チャネルと
上りリンクデータチャネルとを使い分けることができるので、受信品質情報の情報量に柔
軟に対応した送信制御を行なうことが可能となる。また、移動局装置は、上りリンクデー
タチャネルを使用して受信品質情報と上りリンクデータとを同時に基地局装置へ送信する
ので、そのときの上りリンク制御チャネルのリソースが空くこととなる。このため、基地
局装置は、他の移動局装置がその空いた上りリンク制御チャネルのリソースを使用できる
ようにスケジューリングを行なうことが可能となる。これにより、上りリンクリソースを
より効率的に使用することが可能となる。
【０１０８】
また、本実施形態の移動通信システムは、移動局装置が、基地局装置から受信した信号
の受信品質を測定し、受信品質情報を前記基地局装置へ送信する移動通信システムであっ
て、基地局装置は、移動局装置が受信品質情報と上りリンクデータとを同時に送信するこ
とができる受信品質情報送信可能時間を設定する情報を、無線資源制御信号に含めて移動
局装置へ送信した後、上りリンクデータ送信許可信号を移動局装置へ送信し、前記移動局
装置は、前記設定された受信品質情報送信可能時間内に上りリンクデータ送信許可信号を
前記基地局装置から受信した場合は、受信品質情報と上りリンクデータとを同時に前記基
地局装置へ送信することを特徴としている。
【０１０９】
このように、基地局装置は、受信品質情報送信可能時間を設定する情報を、無線資源制
御信号に含めて移動局装置へ送信した後、上りリンクデータ送信許可信号を移動局装置へ
送信し、移動局装置は、受信品質情報送信可能時間内に上りリンクデータ送信許可信号を
基地局装置から受信した場合は、受信品質情報と上りリンクデータとを同時に基地局装置
へ送信するので、基地局装置が、受信品質情報の送信頻度を制御することができる。また
、基地局装置から移動局装置に対して送信する上りリンクデータ送信許可信号に、受信品
質情報と上りリンクデータとを同時に送信する旨を移動局装置に対して指示する同時送信
許可情報を付加する必要がないので、より効率的に受信品質情報の送信制御を行なうこと
ができる。また、基地局装置から移動局装置へ無線資源制御信号（ＲＲＣシグナリング）
を用いて固定したタイミングで受信品質情報の送信指示をしていたものを、上りリンクデ
ータ送信許可信号を用いてダイナミックに受信品質情報の送信指示を行なうようにする場
合、基地局装置から移動局装置に対して、どのタイミングで受信品質情報を送信すべきか
を上りリンクデータ送信許可信号を用いて指示する必要がある。本発明によれば、受信品
質情報と上りリンクデータとを同時に送信する旨を移動局装置に対して指示する同時送信
許可情報を、上りリンクデータ送信許可信号に含めて移動局装置へ送信するので、下りリ
ンクにおいて、上りリンクデータ送信許可信号のリソースの無駄遣いを減らし、リソース
を有効に活用することが可能となる。
【０１１０】
また、本実施形態の移動通信システムは、移動局装置が、基地局装置から受信した信号
の受信品質を測定し、受信品質情報を前記基地局装置へ送信する移動通信システムであっ
て、基地局装置は、移動局装置が上りリンク制御チャネルを使用して受信品質情報を送信
するためのリソースの割り当ておよび受信品質情報の送信間隔を指示する情報、並びに、
移動局装置が受信品質情報と上りリンクデータとを同時に送信することができる受信品質
情報送信可能時間を設定する情報を、無線資源制御信号に含めて移動局装置へ送信した後
、上りリンクデータ送信許可信号を移動局装置へ送信し、前記移動局装置は、前記基地局
装置から送信された前記無線資源制御信号に含まれる指示に従って、上りリンク制御チャネルを使用して受信品質情報を定期的に前記基地局装置へ送信すると共に、前記上りリン
クデータ送信許可信号を前記基地局装置から受信した場合は、上りリンクデータチャネル
を使用して受信品質情報と上りリンクデータとを同時に前記基地局装置へ送信することを
特徴としている。
【０１１１】
このように、基地局装置は、移動局装置が上りリンク制御チャネルを使用して受信品質
情報を送信するためのリソースの割り当ておよび受信品質情報の送信間隔を指示する情報
、並びに、移動局装置が受信品質情報と上りリンクデータとを同時に送信することができ
る受信品質情報送信可能時間を設定する情報を、無線資源制御信号に含めて移動局装置へ
送信した後、上りリンクデータ送信許可信号を移動局装置へ送信し、移動局装置は、受信
品質情報送信可能時間内に上りリンクデータ送信許可信号を基地局装置から受信した場合
は、受信品質情報と上りリンクデータとを同時に基地局装置へ送信するので、基地局装置
が、受信品質情報の送信頻度を制御することができる。また、基地局装置から移動局装置
に対して送信する上りリンクデータ送信許可信号に、受信品質情報と上りリンクデータと
を同時に送信する旨を移動局装置に対して指示する同時送信許可情報を付加する必要がな
いので、より効率的に受信品質情報の送信制御を行なうことができる。また、基地局装置
から移動局装置へ無線資源制御信号（ＲＲＣシグナリング）を用いて固定したタイミング
で受信品質情報の送信指示をしていたものを、上りリンクデータ送信許可信号を用いてダ
イナミックに受信品質情報の送信指示を行なうようにする場合、基地局装置から移動局装
置に対して、どのタイミングで受信品質情報を送信すべきかを上りリンクデータ送信許可
信号を用いて指示する必要がある。本発明によれば、受信品質情報と上りリンクデータと
を同時に送信する旨を移動局装置に対して指示する同時送信許可情報を、上りリンクデー
タ送信許可信号に含めて移動局装置へ送信するので、下りリンクにおいて、上りリンクデ
ータ送信許可信号のリソースの無駄遣いを減らし、リソースを有効に活用することが可能
となる。
【０１１２】
また、本実施形態の移動通信システムにおいて、前記基地局装置が、予め前記無線資源
制御情報を用いて移動局装置に対して上りリンク制御チャネルを使用して受信品質情報を
送信するように指示した上りリンクのスロットに対応する下りリンクのスロットで、前記
上りリンクデータ送信許可信号を前記移動局装置に対して送信し、前記移動局装置が、前
記上りリンクデータ送信許可信号を前記基地局装置から受信した場合、前記移動局装置は
、上りリンクデータチャネルを使用して受信品質情報と上りリンクデータと、を同時に前
記基地局装置へ送信することを特徴としている。
【０１１３】
このように、基地局装置が、予め無線資源制御情報を用いて移動局装置に対して上りリ
ンク制御チャネルを使用して受信品質情報を送信するように指示した上りリンクのスロッ
トでは、移動局装置は、上りリンク制御チャネルを使用して受信品質情報を定期的に基地
局装置へ送信している。その上りリンクのスロットに対応する下りリンクのスロットで、
基地局装置が、同時送信許可情報を含む上りリンクデータ送信許可信号を移動局装置に対
して送信し、移動局装置が、その同時送信許可情報を含む上りリンクデータ送信許可信号
を受信した場合、移動局装置は、上りリンクデータチャネルを使用して受信品質情報と上
りリンクデータとを同時に基地局装置へ送信する。この構成により、基地局装置は、上り
リンクデータ送信許可信号に含めて移動局装置へ送信するので、受信品質情報の送信頻度
を制御することができる。また、受信品質情報を送信する際に上りリンク制御チャネルと
上りリンクデータチャネルとを使い分けることができるので、受信品質情報の情報量に柔
軟に対応した送信制御を行なうことが可能となる。また、移動局装置は、上りリンクデー
タチャネルを使用して受信品質情報と上りリンクデータとを同時に基地局装置へ送信する
ので、そのときの上りリンク制御チャネルのリソースが空くこととなる。このため、基地
局装置は、他の移動局装置がその空いた上りリンク制御チャネルのリソースを使用できる
ようにスケジューリングを行なうことが可能となる。これにより、上りリンクリソースを
より効率的に使用することが可能となる。
【０１１４】
また、本実施形態の移動通信システムにおいて、前記基地局装置は、前記移動局装置が
受信品質情報と上りリンクデータとを同時に送信する際の物理フォーマットを指示する情
報を、無線資源制御信号に含めて前記移動局装置へ送信し、前記移動局装置は、前記指示
された物理フォーマットに従って受信品質情報と上りリンクデータとを同時に前記基地局
装置へ送信することを特徴としている。
【０１１５】
このように、基地局装置は、移動局装置が受信品質情報と上りリンクデータとを同時に
送信する際の物理フォーマットを指示する情報を、無線資源制御信号に含めて移動局装置
へ送信するので、移動局装置が受信品質情報と上りリンクデータとを同時に送信する際の
物理フォーマットを基地局装置側で制御することが可能となる。
【０１１６】
また、本実施形態の基地局装置は、移動局装置に対して、受信品質情報の送信動作を制
御する基地局装置であって、移動局装置が生成する受信品質情報と上りリンクデータとを
同時に送信する旨を前記移動局装置に対して指示する同時送信許可情報、および上りリン
クデータ送信許可信号を入力し、前記同時送信許可情報を上りリンクデータ送信許可信号
に含めるスケジューリングを行なうスケジューラ部と、前記同時送信許可情報を含む上り
リンクデータ送信許可信号を前記移動局装置に対して送信する送信部と、を備えることを
特徴としている。
【０１１７】
このように、本実施形態の基地局装置は、同時送信許可情報を、上りリンクデータ送信
許可信号に含めて移動局装置へ送信するので、基地局装置側で、受信品質情報の送信頻度
を制御することができる。また、セル内の上りリンクリソースを考慮した受信品質情報の
送信制御を行なうことができる。
【０１１８】
また、本実施形態の基地局装置は、移動局装置に対して、受信品質情報の送信動作を制
御する基地局装置であって、移動局装置が上りリンク制御チャネルを使用して受信品質情
報を送信するためのリソースの割り当ておよび受信品質情報の送信間隔を指示する情報、
前記移動局装置が生成する受信品質情報と上りリンクデータとを同時に送信する旨を前記
移動局装置に対して指示する同時送信許可情報、および上りリンクデータ送信許可信号を
入力し、前記移動局装置が上りリンク制御チャネルを使用して受信品質情報を送信するた
めのリソースの割り当ておよび受信品質情報の送信間隔を指示する情報を、無線資源制御
信号に含めるスケジューリングを行なうと共に、前記同時送信許可情報を上りリンクデー
タ送信許可信号に含めるスケジューリングを行なうスケジューラ部と、前記無線資源制御
信号を前記移動局装置へ送信した後で、前記同時送信許可情報を含む上りリンクデータ送
信許可信号を前記移動局装置に対して送信する送信部と、を備えることを特徴としている
。
【０１１９】
このように、本実施形態の基地局装置は、移動局装置が上りリンク制御チャネルを使用
して受信品質情報を基地局装置へ送信するためのリソースの割り当ておよび受信品質情報
の送信間隔を指示する情報を、無線資源制御信号に含めて移動局装置へ送信した後、同時
送信許可情報を、上りリンクデータ送信許可信号に含めて移動局装置へ送信するので、受
信品質情報の送信頻度を制御することができる。また、受信品質情報を送信する際に上り
リンク制御チャネルと上りリンクデータチャネルとを使い分けることができるので、受信
品質情報の情報量に柔軟に対応した送信制御を行なうことが可能となる。
【０１２０】
また、本実施形態の基地局装置において、前記スケジューラ部は、予め前記無線資源制
御情報を用いて移動局装置に対して上りリンク制御チャネルを使用して受信品質情報を送
信するように指示した上りリンクのスロットに対応する下りリンクのスロットで、前記同
時送信許可情報を含む上りリンクデータ送信許可信号を前記移動局装置に対して送信する
スケジューリングを行なうことを特徴としている。
【０１２１】
このように、本実施形態の基地局装置は、上りリンクのスロットに対応する下りリンク
のスロットで、同時送信許可情報を含む上りリンクデータ送信許可信号を移動局装置に対
して送信するので、受信品質情報の送信頻度を制御することができる。また、受信品質情
報を送信する際に上りリンク制御チャネルと上りリンクデータチャネルとを使い分けるこ
とができるので、受信品質情報の情報量に柔軟に対応した送信制御を行なうことが可能と
なる。また、移動局装置に対して、上りリンクデータチャネルを使用して受信品質情報と
上りリンクデータとを同時に基地局装置へ送信させるので、そのときの上りリンク制御チ
ャネルのリソースが空くこととなる。このため、基地局装置は、他の移動局装置がその空
いた上りリンク制御チャネルのリソースを使用できるようにスケジューリングを行なうこ
とが可能となる。これにより、上りリンクリソースをより効率的に使用することが可能と
なる。
【０１２２】
また、本実施形態の基地局装置は、移動局装置に対して、受信品質情報の送信動作を制
御する基地局装置であって、移動局装置が受信品質情報と上りリンクデータとを同時に送
信することができる受信品質情報送信可能時間を設定する情報、および上りリンクデータ
送信許可信号を入力し、前記受信品質情報送信可能時間を設定する情報を無線資源制御信
号に含めるスケジューリングを行なうスケジューラ部と、前記無線資源制御信号を送信し
た後、前記上りリンクデータ送信許可信号を前記移動局装置に対して送信する送信部と、
を備えることを特徴としている。
【０１２３】
このように、本実施形態の基地局装置は、受信品質情報送信可能時間を設定する情報を
、無線資源制御信号に含めて移動局装置へ送信した後、上りリンクデータ送信許可信号を
移動局装置へ送信するので、受信品質情報の送信頻度を制御することができる。また、基
地局装置から移動局装置に対して送信する上りリンクデータ送信許可信号に、受信品質情
報と上りリンクデータとを同時に送信する旨を移動局装置に対して指示する同時送信許可
情報を付加する必要がないので、より効率的に受信品質情報の送信制御を行なうことがで
きる。
【０１２４】
また、本実施形態の基地局装置は、移動局装置に対して、受信品質情報の送信動作を制
御する基地局装置であって、移動局装置が上りリンク制御チャネルを使用して受信品質情
報を送信するためのリソースの割り当ておよび受信品質情報の送信間隔を指示する第１の
情報、移動局装置が受信品質情報と上りリンクデータとを同時に送信することができる受
信品質情報送信可能時間を設定する第２の情報、並びに上りリンクデータ送信許可信号を
入力し、前記第１および第２の情報を無線資源制御信号に含めるスケジューリングを行な
うスケジューラ部と、前記無線資源制御信号を送信した後、前記上りリンクデータ送信許
可信号を前記移動局装置に対して送信する送信部と、を備えることを特徴としている。
【０１２５】
このように、本実施形態の基地局装置は、第１および第２の情報を無線資源制御信号に
含めて移動局装置へ送信した後、上りリンクデータ送信許可信号を移動局装置へ送信する
ので、受信品質情報の送信頻度を制御することができる。また、基地局装置から移動局装
置に対して送信する上りリンクデータ送信許可信号に、受信品質情報と上りリンクデータ
とを同時に送信する旨を移動局装置に対して指示する同時送信許可情報を付加する必要が
ないので、より効率的に受信品質情報の送信制御を行なうことができる。
【０１２６】
また、本実施形態の基地局装置において、前記スケジューラ部は、予め前記無線資源制
御情報を用いて移動局装置に対して上りリンク制御チャネルを使用して受信品質情報を送
信するように指示した上りリンクのスロットに対応する下りリンクのスロットで、前記上
りリンクデータ送信許可信号を前記移動局装置に対して送信するスケジューリングを行な
うことを特徴としている。
【０１２７】
本実施形態の基地局装置によれば、上りリンクデータ送信許可信号に含めて移動局装置
へ送信するので、受信品質情報の送信頻度を制御することができる。また、受信品質情報
を送信する際に上りリンク制御チャネルと上りリンクデータチャネルとを使い分けること
ができるので、受信品質情報の情報量に柔軟に対応した送信制御を行なうことが可能とな
る。また、移動局装置に対して、上りリンクデータチャネルを使用して受信品質情報と上
りリンクデータとを同時に基地局装置へ送信させるので、そのときの上りリンク制御チャ
ネルのリソースが空くこととなる。このため、基地局装置は、他の移動局装置がその空い
た上りリンク制御チャネルのリソースを使用できるようにスケジューリングを行なうこと
が可能となる。これにより、上りリンクリソースをより効率的に使用することが可能とな
る。
【０１２８】
また、本実施形態の基地局装置において、前記スケジューラ部は、前記移動局装置が受
信品質情報と上りリンクデータとを同時に送信する際の物理フォーマットを指示する情報
を無線資源制御信号に含めるスケジューリングを行ない、前記送信部は、前記物理フォー
マットを指示する情報を含む無線資源制御信号を前記移動局装置へ送信することを特徴と
している。
【０１２９】
このように、本実施形態の基地局装置は、移動局装置が受信品質情報と上りリンクデー
タとを同時に送信する際の物理フォーマットを指示する情報を、無線資源制御信号に含め
て移動局装置へ送信するので、移動局装置が受信品質情報と上りリンクデータとを同時に
送信する際の物理フォーマットを基地局装置側で制御することが可能となる。
【０１３０】
また、本実施形態の移動局装置は、基地局装置から受信した信号の受信品質を測定し、
受信品質情報を前記基地局装置へ送信する移動局装置であって、受信品質情報と上りリン
クデータとを同時に送信する旨を指示する同時送信許可情報を含む上りリンクデータ送信
許可信号を前記基地局装置から受信する受信部と、前記受信部が、前記同時送信許可情報
を含む上りリンクデータ送信許可信号を受信した場合、前記受信品質情報と上りリンクデ
ータとを同時に前記基地局装置へ送信する送信部と、を備えることを特徴としている。
【０１３１】
このように、本実施形態の移動局装置は、同時送信許可情報を含む上りリンクデータ送
信許可信号を基地局装置から受信した場合は、受信品質情報と上りリンクデータとを同時
に基地局装置へ送信するので、基地局装置側で受信品質情報の送信頻度を制御することが
できる。また、セル内の上りリンクリソースを考慮した受信品質情報の送信制御を行なう
ことができる。
【０１３２】
また、本実施形態の移動局装置は、基地局装置から受信した信号の受信品質を測定し、
受信品質情報を前記基地局装置へ送信する移動局装置であって、前記基地局装置から、上
りリンク制御チャネルを使用して受信品質情報を前記基地局装置へ送信するためのリソー
スの割り当ておよび受信品質情報の送信間隔を指示する情報を含む無線資源制御信号を受
信した後、受信品質情報と上りリンクデータとを同時に送信する旨を指示する同時送信許
可情報を含む上りリンクデータ送信許可信号を受信する受信部と、前記無線資源制御信号
に含まれる指示に従って、上りリンク制御チャネルを使用して受信品質情報を定期的に前
記基地局装置へ送信すると共に、前記受信部が、前記同時送信許可情報を含む上りリンク
データ送信許可信号を前記基地局装置から受信した場合は、上りリンクデータチャネルを
使用して受信品質情報と上りリンクデータとを同時に前記基地局装置へ送信する送信部と
、を備えることを特徴としている。
【０１３３】
このように、本実施形態の移動局装置は、上りリンク制御チャネルを使用して受信品質
情報を基地局装置へ送信するためのリソースの割り当ておよび受信品質情報の送信間隔を
指示する情報を含む無線資源制御信号を受信した後、受信品質情報と上りリンクデータと
を同時に送信する旨を指示する同時送信許可情報を含む上りリンクデータ送信許可信号を
受信するので、基地局装置側で、受信品質情報の送信頻度を制御することができる。また
、受信品質情報を送信する際に上りリンク制御チャネルと上りリンクデータチャネルとを
使い分けることができるので、受信品質情報の情報量に柔軟に対応した送信制御を行なう
ことが可能となる。
【０１３４】
また、本実施形態の移動局装置において、前記基地局装置が、予め前記無線資源制御情
報を用いて上りリンク制御チャネルを使用して受信品質情報を送信するように指示した上
りリンクのスロットに対応する下りリンクのスロットで、前記受信部が、前記同時送信許
可情報を含む上りリンクデータ送信許可信号を前記基地局装置から受信した場合、前記送
信部は、上りリンクデータチャネルを使用して受信品質情報と上りリンクデータと、を同
時に前記基地局装置へ送信することを特徴としている。
【０１３５】
本実施形態の移動局装置によれば、受信品質情報を送信する際に上りリンク制御チャネ
ルと上りリンクデータチャネルとを使い分けることができるので、受信品質情報の情報量
に柔軟に対応した送信制御を行なうことが可能となる。また、上りリンクデータチャネル
を使用して受信品質情報と上りリンクデータとを同時に基地局装置へ送信するので、その
ときの上りリンク制御チャネルのリソースが空くこととなる。このため、基地局装置は、
他の移動局装置がその空いた上りリンク制御チャネルのリソースを使用できるようにスケ
ジューリングを行なうことが可能となる。これにより、上りリンクリソースをより効率的
に使用することが可能となる。
【０１３６】
また、本実施形態の移動局装置は、基地局装置から受信した信号の受信品質を測定し、
受信品質情報を前記基地局装置へ送信する移動局装置であって、前記基地局装置から、受
信品質情報と上りリンクデータとを同時に送信することができる受信品質情報送信可能時
間を設定する情報を含む無線資源制御信号を受信した後、上りリンクデータ送信許可信号
を受信する受信部と、前記受信部が、前記設定された受信品質情報送信可能時間内に上り
リンクデータ送信許可信号を前記基地局装置から受信した場合は、受信品質情報と上りリ
ンクデータとを同時に前記基地局装置へ送信する送信部と、を備えることを特徴としてい
る。
【０１３７】
このように、本実施形態の移動局装置は、受信品質情報送信可能時間内に上りリンクデ
ータ送信許可信号を基地局装置から受信した場合は、受信品質情報と上りリンクデータと
を同時に基地局装置へ送信するので、基地局装置側で、受信品質情報の送信頻度を制御す
ることができる。また、この構成によれば、基地局装置から移動局装置に対して送信する
上りリンクデータ送信許可信号に、受信品質情報と上りリンクデータとを同時に送信する
旨を移動局装置に対して指示する同時送信許可情報を付加する必要がないので、より効率
的に受信品質情報の送信制御を行なうことができる。
【０１３８】
また、本実施形態の移動局装置は、基地局装置から受信した信号の受信品質を測定し、
受信品質情報を前記基地局装置へ送信する移動局装置であって、前記基地局装置から、上
りリンク制御チャネルを使用して受信品質情報を送信するためのリソースの割り当ておよ
び受信品質情報の送信間隔を指示する情報、並びに、受信品質情報と上りリンクデータと
を同時に送信することができる受信品質情報送信可能時間を設定する情報を含む無線資源
制御信号を受信した後、上りリンクデータ送信許可信号を受信する受信部と、前記無線資
源制御信号に含まれる指示に従って、上りリンク制御チャネルを使用して受信品質情報を
定期的に前記基地局装置へ送信すると共に、前記受信部が、前記上りリンクデータ送信許
可信号を前記基地局装置から受信した場合は、上りリンクデータチャネルを使用して受信
品質情報と上りリンクデータとを同時に前記基地局装置へ送信する送信部と、を備えるこ
とを特徴としている。
【０１３９】
このように、本実施形態の移動局装置は、受信品質情報送信可能時間内に上りリンクデ
ータ送信許可信号を基地局装置から受信した場合は、受信品質情報と上りリンクデータと
を同時に基地局装置へ送信するので、基地局装置側で、受信品質情報の送信頻度を制御す
ることができる。また、基地局装置から移動局装置に対して送信する上りリンクデータ送
信許可信号に、受信品質情報と上りリンクデータとを同時に送信する旨を移動局装置に対
して指示する同時送信許可情報を付加する必要がないので、より効率的に受信品質情報の
送信制御を行なうことができる。
【０１４０】
また、本実施形態の移動局装置において、前記基地局装置が、予め前記無線資源制御情
報を用いて上りリンク制御チャネルを使用して受信品質情報を送信するように指示した上
りリンクのスロットに対応する下りリンクのスロットで、前記受信部が、前記上りリンク
データ送信許可信号を前記基地局装置から受信した場合、前記送信部は、上りリンクデー
タチャネルを使用して受信品質情報と上りリンクデータとを同時に前記基地局装置へ送信
することを特徴としている。
【０１４１】
本実施形態の移動局装置によれば、基地局装置側で、受信品質情報の送信頻度を制御す
ることができる。また、受信品質情報を送信する際に上りリンク制御チャネルと上りリン
クデータチャネルとを使い分けることができるので、基地局装置において受信品質情報の
情報量に柔軟に対応した送信制御を行なうことが可能となる。また、上りリンクデータチ
ャネルを使用して受信品質情報と上りリンクデータとを同時に基地局装置へ送信するので
、そのときの上りリンク制御チャネルのリソースが空くこととなる。このため、基地局装
置は、他の移動局装置がその空いた上りリンク制御チャネルのリソースを使用できるよう
にスケジューリングを行なうことが可能となる。これにより、上りリンクリソースをより
効率的に使用することが可能となる。
【０１４２】
また、本実施形態の移動局装置において、前記受信部は、受信品質情報と上りリンクデ
ータとを同時に送信する際の物理フォーマットを指示する情報を含む無線資源制御信号を
前記基地局装置から受信し、前記送信部は、前記指示された物理フォーマットに従って受
信品質情報と上りリンクデータとを同時に前記基地局装置へ送信することを特徴としてい
る。
【０１４３】
このように、本実施形態の移動局装置は、基地局装置から受信品質情報と上りリンクデ
ータとを同時に送信する際の物理フォーマットを指示する情報を含んだ無線資源制御信号
を受信するので、受信品質情報と上りリンクデータとを同時に送信する際の物理フォーマ
ットを基地局装置側で制御することが可能となる。
【符号の説明】
【０１４４】
１００  基地局装置
１０１  データ制御部
１０２  変調符号化部
１０３  マッピング部
１０４  ＩＦＦＴ部
１０５  無線送信部
１０６  無線受信部
１０７  ＦＦＴ部
１０８  復調復号化部
１０９  データ抽出部
１１０  スケジューラ部
１１１  送信情報制御部
１１１ａ  変調符号制御部
１１１ｂ  周波数選択スケジューラ部
１１２  アンテナ
２００  移動局装置
２０１  データ制御部
２０２  変調符号化部
２０３  マッピング部
２０４  ＩＦＦＴ部
２０５  無線送信部
２０６  無線受信部
２０７  ＦＦＴ部
２０８  復調復号化部
２０９  データ抽出部
２１０  受信品質情報制御部
２１０ａ  受信品質情報生成部
２１０ｂ  受信品質測定部
２１１  アンテナ
【図１】
2014112965.tif 000003
【図２】
2014112965.tif 000004
【図３】
2014112965.tif 000005
【図４】
2014112965.tif 000006
【図５】
2014112965.tif 000007
【図６】
2014112965.tif 000008
【図７】
2014112965.tif 000009
【図８】
2014112965.tif 000010
【図９】
2014112965.tif 000011
【図１０】
2014112965.tif 000012
【図１１】
2014112965.tif 000013
【図１２】
2014112965.tif 000014
【図１３】
2014112965.tif 000015
【図１４】
2014112965.tif 000016
【図１５】
2014112965.tif 000017
【図１６】
2014112965.tif 000018
【図１７】
2014112965.tif 000019
【図１８】
2014112965.tif 000020